(57)【要約】      （修正有）【課題】着用者による飛沫が外側に出ることを抑えるとともに、外部からの飛沫が内側に入ることを抑えるフェイスガードを提供する。【解決手段】着用者の顔面を覆うフェイスガード１であって、着用者の顔面を覆うシート状の本体部２と、本体部を着用者の顔面を覆うように支持する基台部３と、基台部に設けられ、着用者に装着するための装着部４と、を備え、基台部は、着用者の胸部の前面に当接し、且つ、本体部の下端部を支持するように構成されている。【選択図】図１
0003230719.tif 000002
【実用新案登録請求の範囲】
【請求項１】
着用者の顔面を覆うフェイスガードであって、
着用者の顔面を覆うシート状の本体部と、
前記本体部を着用者の顔面を覆うように支持する基台部と、
前記基台部に設けられ、着用者に装着するための装着部と、を備え、
前記基台部は、着用者の胸部の前面に当接し、且つ、前記本体部の下端部を支持するように構成されている、ことを特徴とするフェイスガード。
【請求項２】
前記基台部は、前面と後面とを備える板状に形成されて該後面が着用者の胸部の前面に当接するよう構成された当接部と、該当接部の前面に設けられ、前記本体部の下端部を支持する支持部と、を備え、
前記支持部は、前記本体部が前記当接部の前面に対して鋭角な向きで上向き傾斜するように、前記本体部を支持するように構成されている、請求項１に記載のフェイスガード。
【請求項３】
前記支持部は、前記本体部が前記当接部の前面に対して２０°以上８５°以下の角度で上向き傾斜するように、前記本体部を支持するように構成されている、請求項２に記載のフェイスガード。
【請求項４】
前記当接部は、着用者の胸部の前面に当接する当接本体部と、該当接本体部の幅方向両端部から上方に延設される一対の延設部と、を備え、
前記支持部は、前記当接本体部及び前記一対の延設部に形成されている、請求項２又は請求項３に記載のフェイスガード。
【請求項５】
前記支持部は、前記当接本体部及び前記一対の延設部の両方に亘って連続して形成され、且つ、前記当接部の前面に対する前記本体部の角度と同じ角度で該当接部の前面に立設されている、請求項４に記載のフェイスガード。
【請求項６】
前記支持部は、前記当接部の前面からの立設高さが、前記当接本体部に対応する部分が前記一対の延設部に対応する部分よりも高く構成されている、請求項４又は請求項５に記載のフェイスガード。
【請求項７】
前記当接部は、着用者の胸部の前面に当接する当接本体部と、該当接本体部の幅方向両端部から上方に延設される一対の延設部と、を備え、
前記当接本体部と前記一対の延設部とは、下方に凸となるように湾曲した形状となるように連続しており、
前記支持部は、前記当接本体部及び前記一対の延設部の両方に設けられており、前記本体部の下端部が前記湾曲した形状に沿うように該本体部を支持するように構成されている、請求項２乃至請求項６のいずれか１項に記載のフェイスガード。
【請求項８】
前記当接部は、上側に配置される上側当接部と、下側に配置される下側当接部とを備え、
前記支持部は、前記下側当接部の前面に設けられ、
前記基台部は、前記上側当接部の前面と前記支持部における上向き傾斜方向の上端部とに亘る脚部を備える、請求項２に記載のフェイスガード。
【考案の詳細な説明】
【技術分野】
【０００１】
本考案は、着用者の顔面を覆うフェイスガードに関する。
【背景技術】
【０００２】
従来、顔面を保護するフェイスガードが公知である（特許文献１参照）。このフェイスガードは、着用者の首に装着される湾曲体と、湾曲体に取り付けられる係止体と、顔面を覆う面材と、を備える。面材は、係止体により湾曲体と接続されている。このフェイスガードでは、面材が着用者の顔から首元まで延びているため、例えば、食品工場や家庭内において揚げ物を調理する場合等の油を使用する際に、跳ねた油が首に付着することを防ぐことができる。
【先行技術文献】
【特許文献】
【０００３】
【特許文献１】特開２００９−１８９５４３号公報
【考案の概要】
【考案が解決しようとする課題】
【０００４】
ところで、着用者が前記フェイスガードを装着すると、フェイスガードの下部と着用者の顔面との間に隙間が生じる。そのため、このフェイスガードを飛沫防止のために装着しても、着用者が咳やくしゃみをすると、飛沫はフェイスガードの下部からフェイスガードの外側に出るおそれがあり、着用者の周囲にいる人が咳やくしゃみをすると、飛沫はフェイスガードの下部からフェイスガードの内側に入るおそれがある。
【０００５】
そこで、本考案は、着用者による飛沫が外側に出ることを抑えるとともに、外部からの飛沫が内側に入ることを抑えるフェイスガードを提供することを目的とする。
【課題を解決するための手段】
【０００６】
本考案のフェイスガードは、着用者の顔面を覆うフェイスガードであって、着用者の顔面を覆うシート状の本体部と、前記本体部を着用者の顔面を覆うように支持する基台部と、前記基台部に設けられ、着用者に装着するための装着部と、を備え、前記基台部は、着用者の胸部の前面に当接し、且つ、前記本体部の下端部を支持するように構成されている、ことを特徴とする。
【０００７】
かかる構成によれば、基台部が着用者の胸部の前面に当接し、且つ、前記本体部の下端部を支持するように構成されているため、本体部が着用者の胸部から顔面を覆うように配置されるため、フェイスガードの下部を介して着用者による飛沫が外側に出ることを抑えるとともに、外部からの飛沫が内側に入ることを抑えることができる。
【０００８】
また、前記フェイスガードでは、前記基台部は、前面と後面とを備える板状に形成されて該後面が着用者の胸部の前面に当接するよう構成された当接部と、該当接部の前面に設けられ、前記本体部の下端部を支持する支持部と、を備え、前記支持部は、前記本体部が前記当接部の前面に対して鋭角な向きで上向き傾斜するように、前記本体部を支持するように構成されていてもよい。
【０００９】
かかる構成によれば、本体部が着用者の胸部の前面に対して鋭角な向きで上向き傾斜して配置されるため、本体部を着用者の顔面に確実に近づけることができる。
【００１０】
さらに、前記フェイスガードでは、前記支持部は、前記本体部が前記当接部の前面に対して２０°以上８５°以下の角度で上向き傾斜するように、前記本体部を支持するように構成されていてもよい。
【００１１】
かかる構成によれば、本体部が着用者の胸部の前面に対して２０°以上８５°以下の角度で傾斜して配置されるため、本体部を着用者の顔面に確実に近づけることができる。
【００１２】
前記フェイスガードでは、前記当接部は、着用者の胸部の前面に当接する当接本体部と、該当接本体部の幅方向両端部から上方に延設される一対の延設部と、を備え、
前記支持部は、前記当接本体部及び前記一対の延設部に形成されていてもよい。
【００１３】
かかる構成によれば、当接本体部（顔面の下側）だけでなく、当接本体部の幅方向両側（顔面の両側）もシート状の本体部で覆うことができ、下からの飛沫拡散・侵入を効果的に防止できる。
【００１４】
また、前記フェイスガードでは、前記支持部は、前記当接本体部及び前記一対の延設部の両方に亘って連続して形成され、且つ、前記当接部の前面に対する前記本体部の角度と同じ角度で該当接部の前面に立設されていてもよい。
【００１５】
かかる構成によれば、本体部の下端部に連続して当接することで、下方からの飛沫の拡散・侵入を抑制することができる。
【００１６】
さらに、前記フェイスガードでは、前記支持部は、前記当接部の前面からの立設高さが、前記当接本体部に対応する部分が前記一対の延設部に対応する部分よりも高く構成されていてもよい。
【００１７】
かかる構成によれば、着用者にとっての顔面よりも下側の視界を良好にできる。
【００１８】
前記フェイスガードでは、前記当接部は、着用者の胸部の前面に当接する当接本体部と、該当接本体部の幅方向両端部から上方に延設される一対の延設部と、を備え、前記当接本体部と前記一対の延設部とは、下方に凸となるように湾曲した形状となるように連続しており、前記支持部は、前記当接本体部及び前記一対の延設部の両方に設けられており、前記本体部の下端部が前記湾曲した形状に沿うように該本体部を支持するように構成されていてもよい。
【００１９】
かかる構成によれば、当接本体部（下側）だけでなく、両延設部（左右両側）においても飛沫の拡散・侵入を抑制でき、本体部を角の無い湾曲形状で支持することで視界も良好である。
【００２０】
また、前記フェイスガードでは、前記当接部は、上側に配置される上側当接部と、下側に配置される下側当接部とを備え、前記支持部は、前記下側当接部の前面に設けられ、前記基台部は、前記上側当接部の前面と前記支持部における上向き傾斜方向の上端部とに亘る脚部を備えてもよい。
【００２１】
かかる構成によれば、脚部によって、フェイスガードの装着時における本体部のぐらつきや揺れを抑制することができる。
【考案の効果】
【００２２】
以上より、本考案によれば、フェイスガードに取り付けられるフェイスガードであって、フェイスガードの着用者による飛沫がフェイスガードの外側に出ることを抑えるとともに、外部からの飛沫がフェイスガードの内側に入ることを抑えるフェイスガードを提供することができる。
【図面の簡単な説明】
【００２３】
【図１】図１は、本実施形態に係るフェイスガード正面図である。
【図２】図２は、前記フェイスガードの側面図である。
【図３】図３は、前記フェイスガードの基台部の平面図である。
【図４】図４は、前記フェイスガードの着用時を示す模式図である。
【図５】図５は、前記基台部の断面図である。
【図６】図６は、変形例に係るフェイスガードの基台部の断面図である。
【考案を実施するための形態】
【００２４】
以下、本考案の実施形態について、図１〜図５を参照しつつ説明する。フェイスガード１は、着用者Ｐの顔面を覆うフェイスガードである。
【００２５】
図１、図２、及び、図４に示すように、着用者Ｐの顔面を覆うシート状の本体部２と、本体部２を着用者Ｐの顔面を覆うように支持する基台部３と、基台部３に設けられた装着部４と、を備える。
【００２６】
以下、フェイスガード１の内側は使用時に着用者Ｐの顔面と対向する側であり、フェイスガード１の外側は内側の反対側とする。即ち、フェイスガード１の内外方向は、本体部２の厚み方向であって、図１における紙面に垂直な方向である。また、フェイスガード１の上側及び下側は、フェイスガード１の着用者Ｐの頭側及び足側とする。即ち、フェイスガード１の上側や下側は、図１における上側や下側である。さらに、フェイスガード１の幅方向は、フェイスガード１の着用者Ｐの顔の幅方向とする。即ち、フェイスガード１の幅方向は、図１における左右方向である。
【００２７】
基台部３は、本体部２を支持する部位である。また、基台部３は、着用者Ｐの胸部の前面に当接し、且つ、本体部２の下端部２０を支持するように構成されている。本実施形態のフェイスガード１では、基台部３は、前面３０と後面３１とを備える板状に形成されて後面３１が着用者Ｐの胸部の前面に当接するよう構成された当接部３２と、当接部３２の前面３０に設けられ、本体部２の下端部２０を支持する支持部３３と、を備える（図２及び図５参照）。
【００２８】
基台部３は、図３に示すように、例えば、馬蹄形状を有する。具体的に、基台部３は、幅方向における両端に位置する両端部３４と、両端部３４の間に設けられ且つ両端部３４よりも外側に突出した中央部３５と、を有する。これにより、基台部３は、下方に凸となるように湾曲した形状となる。この両端部３４の各々には、当接部３２の前面３０から上方に延び且つ本体部２を外側から支持する凸部３４０が設けられている。
【００２９】
当接部３２は、例えば、着用者Ｐの胸部の前面に当接する当接本体部３６と、当接本体部３６の幅方向両端部３７から上方に延設される一対の延設部３８と、を備える（図４参照）。また、当接本体部３６と一対の延設部３８とは、下方に凸となるように湾曲した形状となるように連続している。
【００３０】
支持部３３は、本体部２が当接部３２の前面３０に対して鋭角な向きで上向き傾斜するように、本体部２を支持するように構成されている（図２参照）。即ち、支持部３３は、本体部２と当接部３２の前面３０とのなす角度αが鋭角となるように、本体部２を支持するように構成されている。本実施形態のフェイスガード１では、支持部３３は、本体部２が当接部３２の前面３０に対して２０°以上８５°以下の角度（具体的には、約６０°）で上向き傾斜するように、本体部２を支持するように構成されている。
【００３１】
本実施形態のフェイスガード１では、支持部３３に貫通孔３３０（例えば、複数の貫通孔３３０）が設けられている（図３参照）。
【００３２】
また、支持部３３は、少なくとも当接本体部３６に形成されている。例えば、支持部３３は、当接本体部３６及び一対の延設部３８に形成されている。具体的に、支持部３３は、当接本体部３６及び一対の延設部３８の両方に亘って連続して形成されている。
【００３３】
さらに、支持部３３は、当接部３２の前面３０に対する本体部２の角度と同じ角度で当接部３２の前面３０に立設されている。さらに、支持部３３は、当接本体部３６及び一対の延設部３８の両方に設けられており、本体部２の下端部２０が湾曲した形状に沿うように該本体部２を支持するように構成されている。本実施形態の支持部３３は、湾曲形状を有する。また、支持部３３は、当接本体部３６に設けられている当接支持部３３１と、延設部３８に設けられている延設支持部３３２とを備える。なお、支持部３３は、当接本体部３６及び一対の延設部３８に亘って、間欠的に設けられていてもよい。
【００３４】
支持部３３は、当接部３２の前面３０からの立設高さが、当接本体部３６に対応する部分が一対の延設部３８に対応する部分よりも高く構成されている（図１参照）。即ち、当接本体部３６の当接部３２の前面３０からの立設高さは、一対の延設部３８の当接部３２の前面３０からの立設高さよりも高い。本実施形態の支持部３３の当接部３２の前面３０からの立設高さは、幅方向における中央側ほど高くなっている。
【００３５】
本体部２は、透明のシートであり、例えば、無色透明のシートである。例えば、本体部２は、樹脂製のシートである。また、本体部２は、例えば、平面視において略矩形状のシートである。本実施形態のフェイスガード１では、本体部２の上下方向における寸法が、幅方向における寸法よりも小さい。さらに、本体部２は、柔軟性を有する。
【００３６】
本体部２は、外面側から少なくとも着用者Ｐの鼻と口とを含む領域を覆うように構成されている。さらに、本実施形態の本体部２は、着用者Ｐの目を覆うように延びている。具体的に、本体部２は、着用者Ｐの顎から両目元までを連続して覆うように延びている。さらに、この本体部２は、着用者Ｐの頬を覆うように延びている。
【００３７】
本実施形態のフェイスガード１では、本体部２は、基台部３と別部材である。また、本体部２は、基台部３に取り付けられており、具体的に、着脱可能に取り付けられている。そのため、フェイスガード１の使用により本体部２が汚れても、本体部２を交換することでフェイスガード１を清潔な状態で維持することができる
【００３８】
より具体的に、本体部２は、支持部３３の貫通孔３３０と対応する位置に貫通孔が設けられている。本体部２は、固定部材（例えば、ビス）５が、重なった状態の本体部２の貫通孔と支持部３３の貫通孔３３０とを挿通することで、支持部３３に取り付けられる。
【００３９】
さらに、本体部２は、基台部３に沿って基台部３の両端部３４の間に延びる（図１参照）。これにより、本体部２はその中央部３５が外側に突出して湾曲することで、着用者Ｐの顔のカーブに沿った形状となる。さらに、本体部２は、着用者Ｐの顔の側方（例えば、両頬）まで延びている（図４参照）。この構成では、湾曲した本体部２が着用者Ｐの顔の側方を覆っているため、着用者Ｐの側方からの飛沫を防ぐことができる。
【００４０】
装着部４は、フェイスガード１を着用者Ｐに装着するための部位である。例えば、装着部４は、紐である。また、装着部４の長さは、アジャスター４０により変更可能である。装着部４の長さを変更することで、大人から子供まで様々な人が着用可能である。なお、装着部４は、伸縮性を有するゴム等であってもよい。
【００４１】
本実施形態のフェイスガード１では、装着部４が基台部３と別部材であるが、装着部４は基台部３と一体であってもよい。また、装着部４は、着用者Ｐの首に掛けられるが、頭や耳に掛けられてもよい。例えば、装着部４は、着用者Ｐの頭に掛けられる場合、着用者Ｐの頭に巻き付けるベルト状に形成されてもよい。
【００４２】
以上のフェイスガード１では、基台部３が着用者Ｐの胸部の前面に当接し、且つ、本体部２の下端部２０を支持するように構成されていることにより、本体部２が着用者Ｐの胸部から顔面を覆うように配置されるため、フェイスガード１の下部を介して着用者Ｐによる飛沫が外側に出ることを抑えるとともに、外部からの飛沫が内側に入ることを抑えることができる。
【００４３】
本実施形態のフェイスガード１では、本体部２が着用者Ｐの胸部の前面に対して鋭角な向きで上向き傾斜して配置されるため、本体部２を着用者Ｐの顔面に確実に近づけることができる。具体的に、フェイスガード１では、本体部２が着用者Ｐの顔面に対して略平行な姿勢で配置される。
【００４４】
また、本実施形態のフェイスガード１では、本体部２が着用者Ｐの胸部の前面に対して２０°以上８５°以下の角度で傾斜して配置されるため、本体部２を着用者Ｐの顔面に確実に近づけることができる。さらに、このフェイスガード１では、着用者Ｐの目元と本体との間に余裕（空間）が生じるため、着用者が眼鏡をかけていても邪魔にならない。
【００４５】
さらに、本実施形態のフェイスガード１では、本体部２を支持する支持部３３が、当接本体部３６に加えて、一対の延設部３８に形成されているため、当接本体部３６（顔面の下側）だけでなく、当接本体部３６の幅方向両側（顔面の両側）もシート状の本体部２で覆うことができ、下側からの飛沫拡散・侵入を効果的に防止できる。
【００４６】
本実施形態のフェイスガード１では、支持部３３は、当接本体部３６及び一対の延設部３８の両方に亘って連続して形成され、且つ、当接部３２の前面３０に対する本体部２の角度と同じ角度で当接部３２の前面３０に立設されている、即ち、本体部２の下端部２０に連続して当接することで、下方からの飛沫の拡散・侵入を抑制することができる。
【００４７】
また、本実施形態のフェイスガード１では、支持部３３の当接部３２の前面３０からの立設高さが当接本体部３６に対応する部位で高いため、着用者Ｐの下側の視界を良好にできる。
【００４８】
さらに、本実施形態のフェイスガード１では、本体部２の下端部２０が、当接本体部３６と一対の延設部３８の湾曲した形状に沿うため、当接本体部３６（下側）だけでなく、両延設部３８（左右両側）においても飛沫の拡散・侵入を抑制でき、本体部２を角の無い湾曲形状で支持することで視界も良好である。
【００４９】
また、フェイスガード１は首に掛けて使用できるため、正面からの飛沫に加えて、下側からの飛沫も防ぐことができる。例えば、医療従事者や介護従事者が、ベッドやストレッチャーなどに寝ている姿勢の患者に対し対応をしているときに寝ている姿勢の患者に咳をされたとしても、下側からの飛沫を防ぐことができる。さらに、本実施形態のフェイスガード１では、装着時に頭を締め付けることが無く、装着後の髪に癖がつくこともない。
【００５０】
なお、本考案のフェイスガードは、上記実施形態に限定されるものではなく、本考案の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００５１】
例えば、基台部の形状は、上記実施形態の形状に限られない。図６に示すように、当接部３２は、上側に配置される上側当接部３２０と、下側に配置される下側当接部３２１とを備えてもよい。この場合、支持部３３は、下側当接部３２１の前面３２２に設けられることが考えられる。また、基台部３は、上側当接部３２０の前面３２３と支持部３３における上向き傾斜方向の上端部３３３とに亘る脚部３９を備えることが考えられる。この構成によれば、基台部３の脚部３９によって、フェイスガード１の装着時における本体部２のぐらつきや揺れを抑制することができる。
【００５２】
上記実施形態のフェイスガード１では、本体部２は基台部３に対して着脱可能に取り付けられていたが、本体部２と基台部３とは固定されていてもよい。例えば、本体部２は、基台部３に接着剤により取り付けられていてもよい。また、本体部２と基台部３とは別体であったが、一体でもよい。
【００５３】
なお、基台部３は、湾曲した形状に限らず、当接本体部３６が左右に直線状に形成され、一対の延設部３８が当接本体部３６の幅方向両端部３７から上方へ直線状に延設された角形状とすることもできる。また、基台部は３、一対の延設部３８を備えず、例えば、当接本体部３６だけでもよい。この場合、当接本体部３６は、直線状にも湾曲状にも形成できる。さらに、基台部３は、当接部３２の前面に支持部３３が設けられる場合に限らず、当接部３２のみで構成することも可能である。この場合、本体部２は当接部３２で支持される。
【符号の説明】
【００５４】
１…フェイスガード、２…本体部、３…基台部、４…装着部、５…固定部材、２０…下端部、３２…当接部、３３…支持部、３４…両端部、３６…当接本体部、３７…両端部、３８…延設部、３９…脚部、４０…アジャスター、３２０…上側当接部、３２１…下側当接部、３２２、３２３…前面、３３０…貫通孔、３３１…当接支持部、３３２…延設支持部、３３３…上端部、３４０…凸部、Ｐ…着用者、α…角度
【図１】
0003230719.tif 000003
【図２】
0003230719.tif 000004
【図３】
0003230719.tif 000005
【図４】
0003230719.tif 000006
【図５】
0003230719.tif 000007
【図６】
0003230719.tif 000008